(57)【要約】【課題】室圧調整する対象室間の室間連通口が開扉状態にあるとき、室間連通口において一方向き通過気流を形成するとともに、対象室と外部域との間での圧力の高低関係も所要の関係に保持できる室圧制御システムを提供する。【解決手段】制御手段１０は、室間連通口１２の扉１２ａが閉扉状態にあるとき、各対象室用の設定通常室圧ｐｐａ，ｐｐｂを各対象室１ａ，１ｂの目標室圧ｐｍａ，ｐｍｂにした状態で各対象室１ａ，１ｂについて室圧調整ダンパＶａ，Ｖｂの開度調整による室圧調整制御を実行する閉扉モード制御を実施し、かつ、扉１２ａが開扉状態にあるとき、いずれか一方の対象室１ａに対する室圧調整ダンパＶａの開度を固定するとともに、他方の対象室１ｂの目標室圧ｐｍｂを気流形成用の設定室圧ｐｍｂに変更した状態で、他方の対象室１ｂについて室圧調整制御を実行する開扉モード制御を実施する構成にする。【選択図】図１
2010107136.tif 000002
【特許請求の範囲】
【請求項１】
高圧側の対象室と低圧側の対象室との夫々に給気風路及び排気風路を接続するとともに、これら給気風路と排気風路とのうちのいずれか一方側の風路の夫々に各対象室に対する室圧調整ダンパを介装し、
室圧センサによる対象室の検出室圧に応じ前記室圧調整ダンパの開度を調整して対象室の室圧を目標室圧に調整する室圧調整制御を各対象室について実行する制御手段を設けた室圧制御システムであって、
高圧側対象室と低圧側対象室とを連通する室間連通口における扉の開閉を検出する開閉検出手段を設け、
前記制御手段は、この開閉検出手段の検出情報に基づき、
前記扉が閉扉状態にあるとき、高圧側対象室用の設定通常室圧を高圧側対象室の目標室圧にするとともに、それよりも低い低圧側対象室用の設定通常室圧を低圧側対象室の目標室圧にした状態で、高圧側対象室と低圧側対象室との夫々について前記室圧調整制御を実行する閉扉モード制御を実施し、
かつ、前記扉が開扉状態にあるとき、高圧側対象室と低圧側対象室とのうちのいずれか一方の対象室に対する前記室圧調整ダンパの開度を固定するとともに、他方の対象室の目標室圧を前記室間連通口において一方向きの通過気流が形成される気流形成用の設定室圧に変更した状態で、他方の対象室について前記室圧調整制御を実行する開扉モード制御を実施する構成にしてある室圧制御システム。
【請求項２】
前記制御手段は、高圧側対象室を前記一方の対象室とし、かつ、低圧側対象室を前記他方の対象室とした状態で、前記扉が開扉状態にあるとき前記開扉モード制御として、高圧側対象室に対する前記室圧調整ダンパの開度を固定するとともに、低圧側対象室の目標室圧を前記気流形成用の設定室圧に変更した状態で、低圧側対象室について前記室圧調整制御を実行する構成にしてある請求項１記載の室圧制御システム。
【請求項３】
前記制御手段は、低圧側対象室を前記一方の対象室とし、かつ、高圧側対象室を前記他方の対象室とした状態で、前記扉が開扉状態にあるとき前記開扉モード制御として、低圧側対象室に対する前記室圧調整ダンパの開度を固定するとともに、高圧側対象室の目標室圧を前記気流形成用の設定室圧に変更した状態で、高圧側対象室について前記室圧調整制御を実行する構成にしてある請求項１記載の室圧制御システム。
【請求項４】
低圧側対象室が高圧側対象室とは別に、所定の室圧を有する第１別室と連通状態又は隣接状態にあることに対し、
前記気流形成用の設定室圧は前記第１別室が有する所定室圧と低圧側対象室用の設定通常室圧との間の範囲内の室圧にしてある請求項１〜３のいずれか１項に記載の室圧制御システム。
【請求項５】
高圧側対象室が低圧側対象室とは別に、所定の室圧を有する第２別室と連通状態又は隣接状態にあることに対し、
前記気流形成用の設定室圧は前記第２別室が有する所定室圧と高圧側対象室用の設定通常室圧との間の範囲内の室圧にしてある請求項１〜４のいずれか１項に記載の室圧制御システム。
【請求項６】
前記給気風路と前記排気風路とのうち前記室圧調整ダンパの介装側とは異なる側の風路に、ダンパ開度の調整により通過風量を設定風量に調整する自動風量調整機能を備える定風量ダンパ装置を介装し、
前記制御手段は、前記扉が閉扉状態にあるとき前記定風量ダンパ装置を自動風量調整機能させ、かつ、前記扉が開扉状態にあるとき前記定風量ダンパ装置のダンパ開度を固定する構成にしてある請求項１〜５のいずれか１項に記載の室圧制御システム。
【請求項７】
前記制御手段は、前記他方の対象室に対する前記室圧調整ダンパの開度を前記閉扉モード制御の実施時に計測するとともに、その計測開度を判定用開度として記憶し、
その後、前記扉の閉扉に伴う前記開扉モード制御から前記閉扉モード制御への復帰の際は、前記他方の対象室の目標室圧を前記気流形成用の設定室圧から前記閉扉モード制御で採用する他方対象室用の設定通常室圧に戻した後、前記他方の対象室に対する前記室圧調整ダンパの開度が前記室圧調整制御により前記判定用開度又はその近傍に復帰すると、前記一方の対象室に対する前記室圧調整ダンパを開度固定状態から解除して前記一方の対象室に対する前記室圧調整制御を再開する構成にしてある請求項１〜６のいずれか１項に記載の室圧制御システム。
【請求項８】
前記制御手段は、前記扉の閉扉に伴う前記開扉モード制御から前記閉扉モード制御への復帰の際は、前記他方の対象室の目標室圧を前記気流形成用の設定室圧から前記閉扉モード制御で採用する他方対象室用の設定通常室圧に戻した後、設定復帰時間が経過すると、前記一方の対象室に対する前記室圧調整ダンパを開度固定状態から解除して前記一方の対象室に対する前記室圧調整制御を再開する構成にしてある請求項１〜６のいずれか１項に記載の室圧制御システム。
【発明の詳細な説明】
【技術分野】
【０００１】
本発明は室圧制御システムに関し、詳しくは、高圧側の対象室と低圧側の対象室との夫々に給気風路及び排気風路を接続するとともに、これら給気風路と排気風路とのうちのいずれか一方側の風路の夫々に各対象室に対する室圧調整ダンパを介装し、室圧センサによる対象室の検出室圧に応じ前記室圧調整ダンパの開度を調整して対象室の室圧を目標室圧に調整する室圧調整制御を各対象室について実行する制御手段を設けた室圧制御システムに関する。
【背景技術】
【０００２】
従来、この種の室圧制御システムにおいて、高圧側対象室と低圧側対象室との間の室間連通口における扉の開閉を考慮したものとして、次の（イ），（ロ）の如きシステムが提案されている（図１参照）。
【０００３】
（イ）扉１２ａが閉扉状態にあるときは、高圧側対象室用の設定通常室圧ｐｐａを高圧側対象室１ａの目標室圧ｐｍａとし、かつ、それよりも低い低圧側対象室用の設定通常室圧ｐｐｂを低圧側対象室１ｂの目標室圧ｐｍｂとした状態で、各対象室１ａ，１ｂについて室圧調整ダンパＶａ，Ｖｂの開度調整による上記の室圧調整制御を実行する。
一方、扉１２ａが開扉状態にあるときは、高圧側対象室１ａの目標室圧ｐｍａと低圧側対象室１ｂの目標室圧ｐｍｂとを互いに等しい目標室圧にした状態で、各対象室１ａ，１ｂについて室圧調整ダンパＶａ，Ｖｂの開度調整による上記の室圧調整制御を扉１２ａが閉扉状態にあるときから継続して実行する（特許文献１参照）。
【０００４】
（ロ）扉１２ａが閉扉状態にあるときは、高圧側対象室用の設定通常室圧ｐｐａを高圧側対象室１ａの目標室圧ｐｍａとし、かつ、それよりも低い低圧側対象室用の設定通常室圧ｐｐｂを低圧側対象室１ｂの目標室圧ｐｍｂとした状態で、各対象室１ａ，１ｂについて室圧調整ダンパＶａ，Ｖｂの開度調整による上記の室圧調整制御を実行する。
一方、扉１２ａが開扉状態にあるときは、各対象室１ａ，１ｂに対する上記室圧調整制御を休止した状態で各対象室１ａ，１ｂに対する室圧調整ダンパＶａ，Ｖｂを風量調整ダンパとして用い、これら室圧調整ダンパＶａ，Ｖｂの開度調整による風量調整と各対象室１ａ，１ｂに対して装備した定風量ダンパ装置５ａ，５ｂの自動風量調整機能とにより、扉１２ａの開度にかかわらず、室間連通口１２における通過気流Ｋａを高圧側対象室１ａから低圧側対象室１ｂに向かう一定風速の一方向き気流に維持する（特許文献２参照）。
【０００５】
【特許文献１】特開平１０−８３２２１号公報
【特許文献２】特開２００６−２９２２８０号公報
【発明の開示】
【発明が解決しようとする課題】
【０００６】
しかし、上記（イ）の従来システムでは、扉１２ａが開扉状態にあるときも各対象室１ａ，１ｂに対する室圧調整制御を継続して両対象室１ａ，１ｂの室圧ｐａ，ｐｂを互いに等しい目標室圧に調整するから、両対象室１ａ，１ｂと外部域（隣接する廊下や別室など）との間での圧力の高低関係は扉１２ａの開閉にかかわらず汚染防止などの安全上で要求される関係に保持することができるものの、このように両対象室１ａ，１ｂの室圧ｐａ，ｐｂを互いに等しい室圧に調整することに対し、開扉状態の室間連通口１２において生じる通過気流Ｋａの向きを制御することが難しい問題があった。
【０００７】
また、上記（ロ）の従来システムでは逆に、扉１２ａが開扉状態にあるときにおいて室間連通口１２ａで生じる通過気流Ｋａの向きを所要の一方向きに維持し得るものの、扉１２ａが開扉状態にあるときには室圧調整ダンパＶａ，Ｖｂを風量調整ダンパとして用いる風量調整制御の状態となって両対象室１ａ，１ｂの室圧ｐａ，ｐｂが調整されない状態になる為、両対象室１ａ，１ｂと外部域との間での圧力の高低関係を汚染防止などの安全上で要求される関係に確実に保持できない問題があった。
【０００８】
この実情に鑑み、本発明の主たる課題は、合理的な制御形態を採ることにより、扉が開扉状態にあるときに、両対象室と外部域との間での圧力の高低関係を汚染防止などの安全上で要求される関係に確実に保持できるとともに、開扉状態の室間連通口において一方向きの通過気流も確実に形成できるようにする点にある。
【課題を解決するための手段】
【０００９】
本発明の第１特徴構成は室圧制御システムに係り、その特徴は、
高圧側の対象室と低圧側の対象室との夫々に給気風路及び排気風路を接続するとともに、これら給気風路と排気風路とのうちのいずれか一方側の風路の夫々に各対象室に対する室圧調整ダンパを介装し、
室圧センサによる対象室の検出室圧に応じ前記室圧調整ダンパの開度を調整して対象室の室圧を目標室圧に調整する室圧調整制御を各対象室について実行する制御手段を設けた室圧制御システムであって、
高圧側対象室と低圧側対象室とを連通する室間連通口における扉の開閉を検出する開閉検出手段を設け、
前記制御手段は、この開閉検出手段の検出情報に基づき、
前記扉が閉扉状態にあるとき、高圧側対象室用の設定通常室圧を高圧側対象室の目標室圧にするとともに、それよりも低い低圧側対象室用の設定通常室圧を低圧側対象室の目標室圧にした状態で、高圧側対象室と低圧側対象室との夫々について前記室圧調整制御を実行する閉扉モード制御を実施し、
かつ、前記扉が開扉状態にあるとき、高圧側対象室と低圧側対象室とのうちのいずれか一方の対象室に対する前記室圧調整ダンパの開度を固定するとともに、他方の対象室の目標室圧を前記室間連通口において一方向きの通過気流が形成される気流形成用の設定室圧に変更した状態で、他方の対象室について前記室圧調整制御を実行する開扉モード制御を実施する構成にしてある点にある。
【００１０】
つまり、この構成によれば、室間連通口の扉が閉扉状態にあるときは閉扉モード制御の実施により、高圧側対象室の室圧を高圧側対象室に対する室圧調整制御で高圧側対象室用の設定通常室圧に調整するとともに、低圧側対象室の室圧を低圧側対象室に対する室圧調整制御で低圧側対象室用の設定通常室圧に調整する。
【００１１】
したがって、扉が閉扉状態にあるときには、言うまでもなく、高圧側対象室と低圧側対象室との相互間での汚染を確実に防止できるとともに、両対象室と外部域との間での圧力の高低関係も汚染防止などの安全上で要求される関係に確実に保持できる（この点については先述した（イ），（ロ）の従来システムにおいても同様である）。
【００１２】
一方、この種の室圧制御システムでは、室間連通口の扉が開かれると、各対象室に対する室圧調整制御にかかわらず各対象室の室圧は室間連通口による両対象室の連通により等しい室圧（ないしはほぼ等しい室圧）になるが、ここで、高圧側対象室と低圧側対象室とのうちいずれか一方の対象室に対する室圧調整ダンパの開度を固定した状態で、他方の対象室に対する室圧調整ダンパの開度を適当な開度に変化させると、それら室圧調整ダンパ夫々の通過風量の差分により、開扉状態の室間連通口において所望向きの一方向き通過気流を形成することができる。
【００１３】
また、この際、他方の対象室に対する室圧調整ダンパの開度を適当な開度に変化させるのに、他方対象室の目標室圧を扉が閉扉状態にあるときの設定通常室圧から変更して、その目標室圧の変更に対する室圧調整制御上での室圧調整ダンパの開度調整により、他方対象室に対する室圧調整ダンパの開度を上記の如き適当開度に変化させるようにすれば、目標室圧を変更した状態での他方対象室に対する室圧調整制御により、連通状態にある両対象室の室圧をともに他方対象室に対する変更後の目標室圧に調整することができる。
【００１４】
したがって、扉が開扉状態にあるときに採用する他方対象室の室圧として、一方の対象室に対する室圧調整ダンパの開度を固定した状態で他方の対象室に対する室圧調整制御を実行した際に、開扉状態にある室間連通口において所望向きの一方向き通過気流を形成でき、また、両対象室と外部域との間での圧力の高低関係も所望の関係に保持できる適当な気流形成用の設定室圧を選定すれば、扉が開扉状態にあるとき上記の開扉モード制御の実施により、開扉状態の室間連通口において所望向きの一方向き通過気流を形成するとともに、連通状態にある両対象室の室圧を外部域との所望の圧力高低関係を保持できる室圧に調整することができる。
【００１５】
即ち、先述した（イ）の従来システムでは、扉が開扉状態にあるとき、両対象室の目標室圧を互いに等しくした状態で高圧側対象室と低圧側対象室との夫々について室圧調整制御を実行するため、開扉状態の室間連通口において生じる通過気流の向きを制御することが難しいが、上記構成によれば、扉が開扉状態にあるとき、開扉状態の室間連通口において所望向きの一方向き通過気流を確実に形成して維持しながら、連通状態にある両対象室と外部域との間での圧力の高低関係も汚染防止などの安全上で要求される所望の関係に保持することができ、この点で先述した（イ），（ロ）の如き従来システムに比べ一層優れた室圧制御システムとなる。
【００１６】
なお、上記構成の実施において、扉が開扉状態にあるとき実施する開扉モード制御で高圧側対象室と低圧側対象室とのうちいずれか一方の対象室に対する室圧調整ダンパの開度を固定するのに、その固定開度は閉扉モード制御から開扉モード制御への切り換え時点の開度（即ち、扉が開かれたときの開度）あるいは適宜設定した開度のいずれであってもよい。
【００１７】
また、開扉モード制御については、高圧側対象室に対する室圧調整ダンパの開度を固定するとともに低圧側対象室の目標室圧を気流形成用の設定室圧に変更した状態で、低圧側対象室について室圧調整制御を実行する制御形態と、これとは逆に低圧側対象室に対する室圧調整ダンパの開度を固定するとともに高圧側対象室の目標室圧を気流形成用の設定室圧に変更した状態で、高圧側対象室について室圧調整制御を実行する制御形態とを切り換え指令等に応じて適宜切り換え実施できるようにすれば、機能性や汎用性の面などで一層優れた室圧制御システムにすることができる。
【００１８】
各対象室に対する室圧調整ダンパは給気風路の側に介装する構成、あるいは、排気風路の側に介装する構成のいずれを採用してもよく、また、給気風路と排気風路とのうち室圧調整ダンパの介装側とは異なる側の風路に、ダンパ開度の調整により通過風量を設定風量に調整する自動風量調整機能を備える定風量ダンパ装置を介装して、室圧調整機能を高めるようにしてもよい。
【００１９】
本発明の第２特徴構成は、第１特徴構成の実施に好適な実施形態を特定するものであり、その特徴は、
前記制御手段は、高圧側対象室を前記一方の対象室とし、かつ、低圧側対象室を前記他方の対象室とした状態で、前記扉が開扉状態にあるとき前記開扉モード制御として、高圧側対象室に対する前記室圧調整ダンパの開度を固定するとともに、低圧側対象室の目標室圧を前記気流形成用の設定室圧に変更した状態で、低圧側対象室について前記室圧調整制御を実行する構成にしてある点にある。
【００２０】
つまり、扉の閉扉に伴う開扉モード制御から閉扉モード制御への復帰の際、開扉モード制御で開度固定していた前記一方の対象室に対する室圧調整ダンパについては、一方の対象室に対する室圧調整制御の再開に伴い、開扉モード制御の際の固定開度から一方対象室の室圧を一方対象室用の設定通常室圧に調整する開度（略言すれば、元の室圧調整開度）に開度変化する。
【００２１】
また、開扉モード制御で目標室圧を気流形成用の設定室圧に変更していた他方の対象室に対する室圧調整ダンパについては、他方対象室の目標室圧が他方対象室用の設定通常室圧に復帰されるのに伴い、他方対象室の室圧を気流形成用の設定室圧に調整する開度から他方対象室の室圧を他方対象室用の設定通常室圧に調整する開度（略言すれば、元の室圧調整開度）に開度変化する。
【００２２】
そして、これら開扉モード制御から閉扉モード制御への復帰の際の開度変化を比べた場合、室圧を気流形成用の設定室圧に調整する開度から元の室圧調整開度に開度変化する他方対象室に対する室圧調整ダンパの開度変化よりも、開扉モード制御の際の固定開度から元の室圧調整開度に開度変化する一方の対象室に対する室圧調整ダンパの開度変化の方が一般に、各回の開度変化の変化幅が一定化したものとなる。
【００２３】
また特に、開扉モード制御において一方の対象室に対する室圧調整ダンパの開度を先の閉扉モード制御から開扉モード制御への切り換え時点における開度（略言すれば、元の室圧調整開度）に固定する場合では、室圧を気流形成用の設定室圧に調整する開度から元の室圧調整開度に開度変化する他方対象室に対する室圧調整ダンパの開度変化よりも、上記固定開度から元の室圧調整開度に開度変化する（つまりは、元の室圧調整開度の近傍でのみの開度変化となる）一方の対象室に対する室圧調整ダンパの開度変化の方が一般に、各回の開度変化の変化幅が小さいものにもなる。
【００２４】
したがって、高圧側対象室を前記一方の対象室として開扉モード制御で高圧側対象室に対する室圧調整ダンパの開度を固定する上記構成によれば、扉の閉扉に伴う開扉モード制御から閉扉モード制御への復帰で各対象室の室圧を気流形成用の設定室圧から各対象室の設定通常室圧へ復帰させるのに、低圧側対象室に比べ高圧側対象室の方をより安定化した状態で円滑に室圧復帰させることができ、このことから、低圧側対象室よりも高圧側対象室の室圧調整の方が重要視される場合において特に好適な室圧制御システムとなる。
【００２５】
本発明の第３特徴構成は、第１特徴構成の実施に好適な実施形態を特定するものであり、その特徴は、
前記制御手段は、低圧側対象室を前記一方の対象室とし、かつ、高圧側対象室を前記他方の対象室とした状態で、前記扉が開扉状態にあるとき前記開扉モード制御として、低圧側対象室に対する前記室圧調整ダンパの開度を固定するとともに、高圧側対象室の目標室圧を前記気流形成用の設定室圧に変更した状態で、高圧側対象室について前記室圧調整制御を実行する構成にしてある点にある。
【００２６】
つまり、前述の如く、扉の閉扉に伴う開扉モード制御から閉扉モード制御への復帰で各対象室の室圧を気流形成用の設定室圧から各対象室の設定通常室圧へ復帰させるのに、開扉モード制御において室圧調整ダンパの開度を固定する前記一方の対象室の方が他方の対象室に比べより安定化した状態で円滑に室圧復帰させることができる。
【００２７】
したがって、低圧側対象室を前記一方の対象室として開扉モード制御で低圧側対象室に対する室圧調整ダンパの開度を固定する上記構成によれば、扉の閉扉に伴う開扉モード制御から閉扉モード制御への復帰で各対象室の室圧を気流形成用の設定室圧から各対象室の設定通常室圧へ復帰させるのに、高圧側対象室に比べ低圧側対象室の方をより安定化した状態で円滑に室圧復帰させることができ、このことから、高圧側対象室よりも低圧側対象室の室圧調整の方が重要視される場合において特に好適な室圧制御システムとなる。
【００２８】
本発明の第４特徴構成は、第１〜第３特徴構成のいずれかの実施に好適な実施形態を特定するものであり、その特徴は、
低圧側対象室が高圧側対象室とは別に、所定の室圧を有する第１別室と連通状態又は隣接状態にあることに対し、
前記気流形成用の設定室圧は前記第１別室が有する所定室圧と低圧側対象室用の設定通常室圧との間の範囲内の室圧にしてある点にある。
【００２９】
つまり、この構成によれば、扉が開扉状態にあるとき開扉モード制御の実施により両対象室をともに気流形成用の設定室圧に調整することにおいて、両対象室の室圧が第１別室の所定室圧と低圧側対象室用の設定通常室圧との間の室圧に調整される。
【００３０】
したがって、低圧側対象室に対して連通状態又は隣接状態にある第１別室と低圧側対象室との室圧の高低関係を扉が開扉状態にあるときにも扉が閉扉状態にあるときと同様の関係に保持することができ、これにより、低圧側対象室と第１別室との相互間での汚染も一層確実に防止することができる。
【００３１】
本発明の第５特徴構成は、第１〜第４特徴構成の実施に好適な実施形態を特定するものであり、その特徴は、
高圧側対象室が低圧側対象室とは別に、所定の室圧を有する第２別室と連通状態又は隣接状態にあることに対し、
前記気流形成用の設定室圧は前記第２別室が有する所定室圧と高圧側対象室用の設定通常室圧との間の範囲内の室圧にしてある点にある。
【００３２】
つまり、この構成によれば、扉が開扉状態にあるとき開扉モード制御の実施により両対象室をともに気流形成用の設定室圧に調整することにおいて、両対象室の室圧が第２別室の所定室圧と高圧側対象室用の設定通常室圧との間の室圧に調整される。
【００３３】
したがって、高圧側対象室に対して連通状態又は隣接状態にある第２別室と高圧側対象室との室圧の高低関係を扉が開扉状態にあるときにも扉が閉扉状態にあるときと同様の関係に保持することができ、これにより、高圧側対象室と第２別室との相互間での汚染も一層確実に防止することができる。
【００３４】
なお、第４特徴構成と第５特徴構成との併行実施として、低圧側対象室が高圧側対象室とは別に所定の室圧を有する第１別室と連通状態又は隣接状態にあり、また、高圧側対象室が低圧側対象室とは別に所定の室圧を有する第２別室と連通状態又は隣接状態にあることに対し、前記気流形成用の設定室圧を第１別室が有する所定室圧と低圧側対象室用の設定通常室圧との間の範囲内で、かつ、第２別室が有する所定室圧と高圧側対象室用の設定通常室圧との間の範囲内の室圧にすれば、低圧側対象室とそれに連通又は隣接する第１別室との室圧高低関係、及び、高圧側対象室とそれに連通又は隣接する第２別室との室圧高低関係の両方について、扉が開扉状態にあるときも扉が閉扉状態にあるときと同様の関係に保持することができ、この点で一層機能性や汎用性に優れた室圧制御システムにすることができる。
【００３５】
本発明の第６特徴構成は、第１〜第５特徴構成のいずれかの実施に好適な実施形態を特定するものであり、その特徴は、
前記給気風路と前記排気風路とのうち前記室圧調整ダンパの介装側とは異なる側の風路に、ダンパ開度の調整により通過風量を設定風量に調整する自動風量調整機能を備える定風量ダンパ装置を介装し、
前記制御手段は、前記扉が閉扉状態にあるとき前記定風量ダンパ装置を自動風量調整機能させ、かつ、前記扉が開扉状態にあるとき前記定風量ダンパ装置のダンパ開度を固定する構成にしてある点にある。
【００３６】
つまり、給気風路と排気風路とのうち室圧調整ダンパの介装側とは異なる側の風路に上記の如き自動風量調整機能を備える定風量ダンパ装置を介装して、扉が閉扉状態にあるとき、閉扉モード制御の実施に対し定風量ダンパ装置を自動風量調整機能させるようにすれば、閉扉モード制御での室圧調整制御において対象室の室圧を一層精度良くかつ安定的に設定通常室圧に調整することができる。
【００３７】
また、扉が開扉状態にあるとき、開扉モード制御の実施に対し定風量ダンパ装置の自動風量調整機能は維持したままでも前記第１特徴構成の実施上、特に問題とはならないが、上記の如く扉が開扉状態にあるとき、開扉モード制御の実施に対し定風量ダンパ装置のダンパ開度を固定するようにすれば、一方の対象室に対する室圧調整ダンパの通過風量と他方の対象室に対する室圧調整ダンパの通過風量との差分により形成する室間連通口における一方向き通過気流を風量面で一層安定的かつ確実に形成することができる。
【００３８】
なお、この構成の実施において、扉が開扉状態にあるとき定風量ダンパ装置のダンパ開度を固定するのに、その固定開度は扉が開かれたときの開度（即ち、閉扉モード制御から開扉モード制御への切り換え時点の開度）、あるいは、適宜設定した開度のいずれであってもよい。
【００３９】
また、上記構成の実施においては、給気風路と排気風路とのうち室圧調整ダンパの介装側とは異なる側の風路の夫々に定風量ダンパ装置を介装して、これら高圧側対象室に対する定風量ダンパ装置と低圧側対象室に対する定風量ダンパ装置と両方について、扉が閉扉状態にあるときには自動風量調整機能させ、かつ、扉が開扉状態にあるときにはダンパ開度を固定するようにするのが望ましい。
【００４０】
なお、場合によっては、高圧側対象室に対する定風量ダンパ装置と低圧側対象室に対する定風量ダンパ装置とのうち、いずれか１つの定風量ダンパ装置についてのみ、扉が開扉状態にあるときダンパ開度を固定するようにしたり、あるいは、高圧側対象室と低圧側対象室とのうち、いずれか１つの対象室に対してのみ定風量ダンパ装置を装備して、この１つの定風量ダンパ装置について、扉が閉扉状態にあるとき自動風量調整機能させ、かつ、扉が開扉状態にあるときダンパ開度を固定するようにしてもよい。
【００４１】
本発明の第７特徴構成は、第１〜第６特徴構成の実施において好適な実施形態を特定するものであり、その特徴は、
前記制御手段は、前記他方の対象室に対する前記室圧調整ダンパの開度を前記閉扉モード制御の実施時に計測するとともに、その計測開度を判定用開度として記憶し、
その後、前記扉の閉扉に伴う前記開扉モード制御から前記閉扉モード制御への復帰の際は、前記他方の対象室の目標室圧を前記気流形成用の設定室圧から前記閉扉モード制御で採用する他方対象室用の設定通常室圧に戻した後、前記他方の対象室に対する前記室圧調整ダンパの開度が前記室圧調整制御により前記判定用開度又はその近傍に復帰すると、前記一方の対象室に対する前記室圧調整ダンパを開度固定状態から解除して前記一方の対象室に対する前記室圧調整制御を再開する構成にしてある構成にしてある点にある。
【００４２】
つまり、この構成では、閉扉モード制御の際、他方対象室に対する室圧調整制御で調整されていた前記他方対象室に対する室圧調整ダンパの開度（即ち、他方対象室の室圧を他方対象室用の設定通常室圧に調整する開度）を上記判定用開度とする。
【００４３】
そして、扉の閉扉に伴う開扉モード制御から閉扉モード制御への復帰の際、他方対象室の目標室圧を気流形成用の設定室圧から他方対象室用の設定通常室圧に戻した後、他方対象室に対する室圧調整ダンパの開度が室圧調整制御上で上記の判定用開度（即ち、他方対象室の室圧を設定通常室圧に調整する元の開度）又はその近傍に復帰するのを待ち、この復帰後に一方の対象室に対する室圧調整ダンパを開度固定状態から解除して一方の対象室に対する室圧調整制御を再開する。
【００４４】
即ち、このことにより、他方対象室の室圧を他方対象室用の設定通常室圧にほぼ復帰させた後に、一方の対象室に対する室圧調整ダンパを開度固定状態から解除して一方の対象室に対する室圧調整制御を再開することができ、これにより、例えば、開扉モード制御から閉扉モード制御への復帰の際に、他方対象室の目標室圧を他方対象室用の設定通常室圧に戻すのと同時に、一方の対象室に対する室圧調整ダンパを開度固定状態から解除して一方の対象室に対する室圧調整制御を再開するのに比べ、開扉モード制御から閉扉モード制御への復帰の際に高圧側対象室に対する室圧調整ダンパと低圧側対象室に対する室圧調整ダンパとの両方が同時に復帰的な開度変化を行なう状態になって、そのことによる各対象室の同時の過渡的な不定室圧変化により一時的にせよ高圧側対象室と低圧側対象室との室圧逆転を招くといったことを一層確実かつ効果的に防止することができる。
【００４５】
なお、この構成の実施にあたっては、閉扉モード制御の実施期間中に、他方側対象室に対する室圧調整ダンパの開度を連続的ないし定期的に計測して、時間経過に伴い最近の所定単位時間における計測開度の平均値を上記判定用開度として逐次更新するようにするのが望ましい。
【００４６】
また場合によっては、閉扉モード制御の実施期間中に他方側対象室に対する室圧調整ダンパの開度を連続的ないし定期的に計測して、閉扉モード制御の実施全期間における計測開度の平均値や最近の計測開度を上記判定用開度にするようにしてもよい。
【００４７】
本発明の第８特徴構成は、第１〜第６特徴構成の実施に好適な実施形態を特定するものであり、その特徴は、
前記制御手段は、前記扉の閉扉に伴う前記開扉モード制御から前記閉扉モード制御への復帰の際は、前記他方の対象室の目標室圧を前記気流形成用の設定室圧から前記閉扉モード制御で採用する他方対象室用の設定通常室圧に戻した後、設定復帰時間が経過すると、前記一方の対象室に対する前記室圧調整ダンパを開度固定状態から解除して前記一方の対象室に対する前記室圧調整制御を再開する構成にしてある点にある。
【００４８】
つまり、この構成では、扉の閉扉に伴う開扉モード制御から閉扉モード制御への復帰の際、他方対象室の目標室圧を気流形成用の設定室圧から他方対象室用の設定通常室圧に戻した後、前述の如く他方対象室に対する室圧調整ダンパの開度が判定用開度（即ち、他方対象室の室圧を設定通常室圧に調整する元の開度）やその近傍に復帰するのを待つのに代え、他方対象室の目標室圧を気流形成用の設定室圧から他方対象室用の設定通常室圧に戻した後、設定復帰時間が経過するのを待ち、この設定復帰時間の経過後に一方の対象室に対する室圧調整ダンパを開度固定状態から解除して一方の対象室に対する室圧調整制御を再開する。
【００４９】
したがって、設定復帰時間として適当な時間を選定しておけば、前述と同様、他方対象室の室圧を他方対象室用の設定通常室圧にほぼ復帰させた後に、一方の対象室に対する室圧調整ダンパを開度固定状態から解除して一方の対象室に対する室圧調整制御を再開することができて、各対象室の同時の過渡的な不定室圧変化により一時的にせよ高圧側対象室と低圧側対象室との室圧逆転を招くといったことを一層確実かつ効果的に防止することができる。
【００５０】
なお、この構成の実施においては、開扉モード制御から閉扉モード制御への復帰の際の他方対象室の室圧変化に基づき設定復帰時間を最適値に自動補正するようにしてもよい。
【発明を実施するための最良の形態】
【００５１】
図１は室圧制御システムのシステム構成を示し、１ａ〜１ｃは室圧調整対象の第１〜第３の対象室、Ｆｓは主給気風路２を介して各対象室１ａ〜１ｃに空調用空気ＳＡを供給する給気ファン、Ｆｅは主排気風路３を介して各対象室１ａ〜１ｃから室内空気ＲＡを排出する排気ファンである。
【００５２】
主給気風路２から各対象室１ａ〜１ｃに接続した分岐の給気風路４には夫々、定風量ダンパ装置５ａ〜５ｃ及び給気用フィルタ６を介装してあり、定風量ダンパ装置５ａ〜５ｃは、それらのダンパ開度の調整により通過風量（ここでは、各対象室１ａ〜１ｃへの給気風量）を各々の設定風量に調整する自動風量調整機能を備えている。
【００５３】
また、主排気風路３から各対象室１ａ〜１ｃに接続した分岐の排気風路７には夫々、排気用フィルタ８及び室圧調整ダンパＶａ〜Ｖｃを介装してあり、これら室圧調整ダンパＶａ〜Ｖｃはシステム制御器１０からの指令に応じてダンパ制御器９ａ〜９ｃにより操作される。
【００５４】
各対象室１ａ〜１ｃには、それら対象室１ａ〜１ｃの室圧ｐａ〜ｐｃ（具体的には外部域との差圧）を検出する室圧センサ１１を装備し、また、第１対象室１ａと第２対象室１ｂとの間の室壁に人員通過用などの密閉扉付きの室間連通口１２があることに対し、この室間連通口１２における扉１２ａの開閉を検出する開閉検出手段としての扉センサ１４を装備してある。
【００５５】
なお、第２対象室１ｂと第３対象室１ｃとの間の室壁には物品受け渡し用などの小開口１３があるが、この小開口１３は第１対象室１ａと第２対象室１ｂとの間の室間連通口１２に比べ開口面積が小さく、第２対象室１ｂと第３対象室１ｃとを互いに異なる室圧状態に保持できる程度のものである。
【００５６】
システムの制御を司る制御手段としてのシステム制御器１０は、扉センサ１４による扉１２ａの開閉検出に基づき、扉１２ａが閉扉状態にあるときには各対象室１ａ〜１ｃの室圧ｐａ〜ｐｃを各対象室１ａ〜１ｃに対して設定された設定通常室圧ｐｐａ，ｐｐｂ，ｐｐｃに調整する「閉扉モード制御」を実施し、一方、扉１２ａが開扉状態にあるときには閉扉モード制御に代え、開扉状態にある室間連通口１２において第１対象室１ａから第２対象室１ｂに向かう一方向きの通過気流Ｋａを形成するとともに第１及び第２対象室１ａ，１ｂの室圧ｐａ，ｐｂを所要の室圧ｐｐｋに保持する「開扉モード制御」を実施する。
【００５７】
第１対象室１ａの設定通常室圧ｐｐａは第２対象室１ｂの設定通常室圧ｐｐｂよりも高く、第１対象室１ａと第２対象室１ｂとは高圧側対象室と低圧側対象室との関係にあり、  また、第３対象室１ｃの設定通常室圧ｐｐｃは、例えば第１対象室１ａの設定通常室圧ｐｐａと第２対象室１ｂの設定通常室圧ｐｐｂとの間の室圧（ｐｐａ＞ｐｐｃ＞ｐｐｂ）になっている。
【００５８】
以上の構成において、システム制御器１０は、扉１２ａが閉扉状態にあるとき上記の閉扉モード制御として、具体的には次の（Ａ）〜（Ｄ）の制御動作を実行する構成にしてある（図２，図３参照）。
【００５９】
（Ａ）各対象室１ａ〜１ｃの目標室圧ｐｍａ〜ｐｍｃとして、各対象室１ａ〜１ｃの設定通常室圧ｐｐａ，ｐｐｂ，ｐｐｃを各対象室１ａ〜１ｃのダンパ制御器９ａ〜９ｃに指定する。換言すれば、各対象室１ａ〜１ｃの目標室圧ｐｍａ〜ｐｍｃとして、高圧側対象室用の設定通常室圧ｐｐａ，低圧側対象室用の設定通常室圧ｐｐｂ，中間圧対象室用の設定通常室圧ｐｐｃを各ダンパ制御器９ａ〜９ｃに指定する。
【００６０】
（Ｂ）室圧センサ１１による検出室圧ｐａ〜ｐｃと目標室圧ｐｍａ〜ｐｍｃとの偏差に応じ室圧調整ダンパＶａ〜Ｖｃの開度を調整して対象室１ａ〜１ｃの室圧ｐａ〜ｐｃを目標室圧ｐｍａ〜ｐｍｃ（ここでは、設定通常室圧ｐｐａ，ｐｐｂ，ｐｐｃ）に調整する室圧調整制御を各対象室１ａ〜１ｃのダンパ制御器９ａ〜９ｃに実行させる。
【００６１】
（Ｃ）各対象室１ａ〜１ｃに対する定風量ダンパ装置５ａ〜５ｃを自動風量調整機能させる。
【００６２】
（Ｄ）第２対象室１ｂに対する室圧調整ダンパＶｂの開度βを定期的に計測して、時間経過に伴い最近の単位時間当たりの計測開度βの平均値βａｖを判定用開度として逐次更新し、更新した判定用開度βａｖを記憶する。
【００６３】
つまり、この閉扉モード制御においてシステム制御器１０は、各対象室１ａ〜１ｃの設定通常室圧ｐｐａ，ｐｐｂ，ｐｐｃを各対象室１ａ〜１ｃの目標室圧ｐｍａ〜ｐｍｃにした状態で、また、各対象室１ａ〜１ｃに対する定風量ダンパ装置５ａ〜５ｃを自動風量調整機能させながら、上記の室圧調整制御を各対象室１ａ〜１ｃについて実行し、これにより、各対象室１ａ〜１ｃの室圧ｐａ〜ｐｃを各々の設定通常室圧ｐｐａ，ｐｐｂ，ｐｐｃ（ｐｐａ＞ｐｐｃ＞ｐｐｂ）に調整して、各対象室１ａ〜１ｃどうしの間での室圧の高低関係、並びに、各対象室１ａ〜１ｃと外部域との間での圧力の高低関係を所要の適切な関係に保持する。
【００６４】
一方、システム制御器１０は、扉１２ａが開扉状態にあるとき上記の開扉モード制御として、具体的には次の（Ｅ）〜（Ｈ）の制御動作を実行する構成にしてある（図２及び図４参照）。
【００６５】
（Ｅ）第１対象室１ａのダンパ制御器９ａに対する指令により、高圧側対象室である第１対象室１ａに対する室圧調整ダンパＶａの開度を固定する。
【００６６】
（Ｆ）高圧側対象室である第１対象室１ａに対する定風量ダンパ装置５ａのダンパ開度、及び、低圧側対象室である第２対象室１ｂに対する定風量ダンパ装置５ｂのダンパ開度を固定する。
【００６７】
（Ｇ）低圧側対象室である第２対象室１ｂの目標室圧ｐｍｂを第２対象室１ｂの設定通常室圧ｐｐｂから気流形成用の設定室圧ｐｐｋに変更する。
【００６８】
ここで、気流形成用の設定室圧ｐｐｋとしては、第１対象室１ａに対する室圧調整ダンパＶａの開度を固定した状態で第２対象室１ｂに対する室圧調整制御を実行した際に、開扉状態にある室間連通口１２において高圧側対象室である第１対象室１ａから低圧側対象室である第２対象室１ｂに向かう適度な風速の一方向き通過気流Ｋａを形成でき、また、それら第１及び第２対象室１ａ，１ｂと外部域との間での圧力の高低関係も所望の関係に保持できる室圧を選定してある。
【００６９】
また、この気流形成用の設定室圧ｐｐｋは、低圧側対象室である第２対象室１ｂの設定通常室圧ｐｐｂと第３対象室１ｃの設定通常室圧ｐｐｃとの間の範囲内から選定（ｐｐｂ＜ｐｐｋ＜ｐｐｃ）してある。
【００７０】
なお、気流形成用の設定室圧ｐｐｋは、予め実施するシステム試運転などの検証により最適値を求めるようにするのが望ましい。
【００７１】
（Ｈ）低圧側対象室である第２対象室１ｂについて、室圧センサ１１による検出室圧ｐｂと目標室圧ｐｍｂとの偏差に応じ室圧調整ダンパＶｂの開度を調整して第２対象室１ｂの室圧ｐｂを目標室圧ｐｍｂ（ここでは、気流形成用の設定室圧ｐｐｋ）に調整する室圧調整制御を第２対象室１ｂのダンパ制御器９ｂに実行させる。
【００７２】
なお、システム制御器１０は、この開扉モード制御の実施に対し、第２対象室１ｂと小開口１３を通じて連通状態にある第１別室としての第３対象室１ｃについては、閉扉モード制御の実施時と同様、第３対象室１ｃに対する定風量ダンパ装置５ｃを自動風量調整機能させながら、第３対象室１ｃの設定通常室圧ｐｐｃを目標室圧ｐｍｃとした状態で、室圧センサ１１の検出室圧ｐｃに基づき第３対象室１ｃに対する室圧調整ダンパＶｃの開度を調整して、第３対象室１ｃの室圧ｐｃを第３対象室１ｃの設定通常室圧ｐｐｃに調整する室圧調整制御を第３対象室１ｃのダンパ制御器９ｃに実行させる。
【００７３】
つまり、この開扉モード制御においてシステム制御器１０は、高圧側対象室である第１対象室１ａに対する室圧調整ダンパＶａの開度を固定し、かつ、第１及び第２対象室１ａ，１ｂに対する定風量ダンパ装置５ａ，５ｂの開度を固定するとともに、低圧側対象室である第２対象室１ｂの目標室圧ｐｍｂを室間連通口１２において一方向きの通過気流Ｋａを形成する気流形成用の設定室圧ｐｐｋに変更した状態で、低圧側対象室である第２対象室１ｂについて上記の室圧調整制御を実行し、これにより、連通状態にある第１対象室１ａ及び第２対象室１ｂの室圧ｐａ，ｐｂをともに気流形成用の設定室圧ｐｐｋに調整して、第１及び第２対象室１ａ，１ｂと外部域との間での圧力の高低関係を所要の適切な関係に保持しながら、開扉状態にある室間連通口１２において高圧側対象室である第１対象室１ａから低圧側対象室である第２対象室１ｂに向かう適度な風速の一方向き通過気流Ｋａを形成維持する。
【００７４】
また、気流形成用の設定室圧ｐｐｋを第２対象室１ｂの設定通常室圧ｐｐｂと第３対象室１ｃの設定通常室圧ｐｐｃとの間の範囲内の室圧に選定してあることで、開扉モード制御の実施時においても第２対象室１ｂと第３対象室１ｃとの室圧ｐｂ，ｐｃの高低関係を閉扉モード制御の実施時と同様の関係（ｐｂ＜ｐｃ）に保持して、小開口１３における通過気流Ｋｂを第３対象室１ｃから低圧側対象室である第２対象室１ｂに向かう一方向きの通過気流に保持する。
【００７５】
上記の閉扉モード制御及び開扉モード制御夫々の実施に加え、システム制御器１０は更に、扉１２ａの閉じに伴い開扉モード制御から閉扉モード制御に復帰する際、「復帰安定化制御」を実施する構成にしてあり、具体的には、この復帰安定化制御としてシステム制御器１０は次の（Ｉ）〜（Ｋ）の制御動作を実行する構成にしてある（図２及び図５参照）。
【００７６】
（Ｉ）開扉状態にあった扉１２ａの閉じが扉センサ１４により検出されると、先ず、開扉モード制御で目標室圧ｐｍｂを気流形成用の設定室圧ｐｐｋに変更していた第２対象室１ｂについて、その目標室圧ｐｍｂを閉扉モード制御で採用する第２対象室１ｂの設定通常室圧ｐｐｂに戻し、この状態で第２対象室１ｂに対する室圧調整制御を継続する。
【００７７】
（Ｊ）上記の如く目標室圧ｐｍｂを復帰した状態での室圧調整制御上で、第２対象室１ｂに対する室圧調整ダンパＶｂの開度βが先の閉扉モード制御において最終的に更新した判定用開度βａｖの近傍（具体的には判定用開度βａｖについての設定許容範囲内）まで復帰するのを待つ。
そして、室圧調整ダンパＶｂの開度βが判定用開度βａｖの許容範囲内まで復帰すると、開扉モード制御で開度を固定していた第１対象室１ａに対する室圧調整ダンパＶａを開度固定状態から解除し、第１対象室１ａに対する室圧調整制御、即ち、室圧センサ１１の検出室圧ｐａに基づき第１対象室１ａに対する室圧調整ダンパＶａの開度を調整して第１対象室１ａの室圧ｐａを目標室圧ｐｍａ（ここでは設定通常室圧ｐｐａ）に調整する室圧調整制御を再開する。
【００７８】
（Ｋ）第１対象室１ａに対する室圧調整制御の再開に伴い、開扉モード制御でダンパ開度を固定していた第１及び第２対象室１ａ，１ｂに対する定風量ダンパ装置５ａ，５ｂをダンパ開度固定状態から解除して自動風量調整機能を再開させる。
【００７９】
つまり、開扉モード制御から閉扉モード制御への復帰の際に、第１対象室１ａに対する室圧調整ダンパＶａと第２対象室１ｂに対する室圧調整ダンパＶｂとの両方が同時に復帰的な開度変化を行なう状態になって、そのことによる第１対象室１ａと第２対象室１ｂとの同時の過渡的な不定室圧変化により一時的にせよ高圧側対象室である第１対象室１ａと低圧側対象室である第２対象室１ｂとの室圧逆転を招くといったことを上記復帰安定化制御により防止する。
【００８０】
なお、本実施形態で示した室圧制御システムにおいて、開扉モード制御の実施時に高圧側対象室である第１対象室１ａに対する室圧調整ダンパＶａの開度を固定するのに、その固定開度としては、閉扉モード制御から開扉モード制御への制御切り換え時点における室圧調整ダンパＶａの開度、あるいは、適宜設定した開度のいずれを採用してもよい。
【００８１】
〔別の実施形態〕
次に本発明の別実施形態を列記する。
【００８２】
前述の実施形態では、開扉モード制御において高圧側対象室である第１対象室１ａに対する定風量ダンパ装置５ａのダンパ開度、及び、低圧側対象室である第２対象室１ｂに対する定風量ダンパ装置５ｂのダンパ開度を固定するようにしたが、扉１２ａが開扉状態にあるときも、これら定風量ダンパ装置５ａ，５ｂの自動風量調整機能が適切に発揮されて、それら定風量ダンパ装置５ａ，５ｂにおける通過風量が各々の設定風量に安定的に維持される場合などでは、開扉モード制御においても、これら定風量ダンパ装置５ａ，５ｂをそのまま自動風量調整機能させるようにしてもよい。
【００８３】
また、高圧側対象室である第１対象室１ａに対する定風量ダンパ装置５ａや低圧側対象室である第２対象室１ｂに対する定風量ダンパ装置５ｂを省略した構成において、扉１２ａの開閉に応じ閉扉モード制御と開扉モード制御とを択一的に実施するようにしてもよい。
【００８４】
前述の実施形態では、低圧側対象室である第２対象室１ｂに対して所定の室圧ｐｐｃを有する第３対象室１ｃが第１別室として連通状態（又は隣接状態）にあることに対し、開扉モード制御において第２対象室１ｂの目標室圧ｐｍｂとする気流形成用の設定室圧ｐｐｋを第２対象室１ｂの設定通常室圧ｐｐｂと第３対象室１ｃが有する上記所定室圧ｐｐｃとの間の範囲内の室圧に選定したが、これに限らず、気流形成用の設定室圧ｐｐｋとしては、開扉モード制御において開扉状態にある室間連通口１２で所望向きの一方向き通過気流Ｋａを安定的に形成でき、また、第１及び第２対象室１ａ，１ｂと外部域との間での圧力の高低関係を所要の関係に保持できる室圧であれば、どのような室圧であってもよい。
【００８５】
また、高圧側対象室である第１対象室１ａに対して所定の室圧ｐｐｄを有する第２別室が連通状態又は隣接状態である場合など、開扉モード制御で採用する気流形成用の設定室圧ｐｐｋとして、第１対象室１ａの設定通常室圧ｐｐａと第２別室が有する上記所定室圧ｐｐｄとの間の範囲内の室圧を採用してもよい。
【００８６】
なお、前述の実施形態では第２対象室１ｂに対して連通状態又は隣接状態にある第１別室としての第３対象室１ｃが第２対象室１ｂの設定通常室圧ｐｐｂよりも高い室圧ｐｐｃを有する場合を示したが、第２対象室１ｂに対して連通状態又は隣接状態にある第１別室が有する室圧ｐｐｃや、第１対象室１ａに対して連通状態又は隣接状態にある第２別室が有する室圧ｐｐｄは、第１対象室１ａの設定通常室圧ｐｐａや第２対象室１ｂの設定通常室圧ｐｐｂに対して高圧側の室圧あるいは低圧側の室圧のいずれであってもよい。
【００８７】
前述の実施形態では、開扉モード制御の制御形態として、高圧側対象室である第１対象室１ａに対する室圧調整ダンパＶａの開度を固定するとともに、低圧側対象室である第２対象室１ｂの目標室圧ｐｍｂを閉扉モード制御で採用する設定通常室圧ｐｐｂから気流形成用の設定室圧ｐｐｋに変更した状態で、低圧側対象室である第２対象室１ｂについて室圧調整制御を実行する制御形態を採用した場合を示したが、これとは逆に、開扉モード制御の制御形態として、低圧側対象室である第２対象室１ｂに対する室圧調整ダンパＶｂの開度を固定するとともに、高圧側対象室である第１対象室１ａの目標室圧ｐｍａを閉扉モード制御で採用する設定通常室圧ｐｐａから気流成用の設定室圧ｐｐｋに変更した状態で、高圧側対象室である第１対象室１ａについて室圧調整制御を実行する制御形態を採用するようにしてもよい。
【００８８】
また、これら２つの制御形態をシステム制御器１０に対する切り換え指令の付与などにより適宜選択的に採用できるようにしてもよい。
【００８９】
前述の実施形態では、高圧側対象室である第１対象室１ａ及び低圧側対象室である第２対象室１ｂの夫々に対する排気風路７の側に室圧調整ダンパＶａ，Ｖｂを介装する場合を示したが、高圧側対象室である第１対象室１ａ及び低圧側対象室である第２対象室１ｂの夫々に対する給気風路４の側に室圧調整ダンパＶａ，Ｖｂを介装する構成を採用してもよい。
【００９０】
前述の実施形態では、復帰安定化制御として、開扉モード制御の際に目標室圧ｐｍｂを気流形成用の設定室圧ｐｐｋに変更していた側の対象室１ｂについて、その目標室圧ｐｍｂを閉扉モード制御で採用する設定通常室圧ｐｐｂに戻した後、その対象室１ｂに対する室圧調整ダンパＶｂの開度βが判定用開度βａｖ又はその近傍（具体的には判定用開度βａｖについての設定許容範囲内）に復帰すると、開扉モード制御で室圧調整ダンパＶａの開度を固定した側の対象室１ａに対する室圧調整ダンパＶａを開度固定状態から解除して、その対象室１ａに対する室圧調整制御を再開するようにしたが、これに代え、復帰安定化制御として、開扉モード制御の際に目標室圧ｐｍｂを気流形成用の設定室圧ｐｐｋに変更していた側の対象室１ｂについて、その目標室圧ｐｍｂを閉扉モード制御で採用する設定通常室圧ｐｐｂに戻した後、設定復帰時間ｔが経過すると、開扉モード制御で室圧調整ダンパＶａの開度を固定した側の対象室１ａに対する室圧調整ダンパＶａを開度固定状態から解除して、その対象室１ａに対する室圧調整制御を再開するようにするなどしてもよい。
【００９１】
なお、判定用開度βａｖの許容範囲（例えばβａｖ±５％など）は適宜に設定変更が行えるようにしておくのが望ましい。
【００９２】
本発明による室圧制御システムは、各々が室圧調整を要しかつ扉付きの室間連通口を有する高圧側対象室１ａと低圧側対象室１ｂとを備えるクリーンルーム施設や実験施設などの種々の施設に採用することができる。
【図面の簡単な説明】
【００９３】
【図１】室圧制御システムのシステム構成図
【図２】制御切り換えのフローチャート
【図３】閉扉モード制御のフローチャート
【図４】開扉モード制御のフローチャート
【図５】復帰安定化制御のフローチャート
【符号の説明】
【００９４】
１ａ            高圧側対象室
１ｂ            低圧側対象室
４              給気風路
７              排気風路
Ｖａ，Ｖｂ      室圧調整ダンパ
１１            室圧センサ
ｐａ，ｐｂ      室圧
ｐｍａ，ｐｍｂ  目標室圧
１０            制御手段
１２            室間連通口
１２ａ          扉
１４            開閉検出手段
ｐｐａ，ｐｐｂ  設定通常室圧
Ｋａ            通過気流
ｐｐｋ          気流形成用の設定室圧
ｐｐｃ          所定室圧
１ｃ            第１別室
５ａ，５ｂ      定風量ダンパ装置
βａｖ          判定用開度
ｔ              設定復帰時間
【図１】
2010107136.tif 000003
【図２】
2010107136.tif 000004
【図３】
2010107136.tif 000005
【図４】
2010107136.tif 000006
【図５】
2010107136.tif 000007